(57)【要約】  【課題】  着用者の足を揺り動かす機能と耐久性とを両立する。【解決手段】履物底２０は、外殻３０と、柔軟部材３２とを有する。柔軟部材３２は、外殻３０内部に収容される。柔軟部材３２は、弾性力により荷重を支える。柔軟部材３２は、外殻３０よりも柔らかい。外殻３０が、基部４０と、曲面部４２とを有する。曲面部４２は基部４０から張出す。柔軟部材３２は、支持部６２を有する。支持部６２は、外殻３０内部で立つ。支持部６２は、弾性力により荷重を支える。支持部６２は、荷重を支える際には曲がる。【選択図】  図３
2012187238.tif 000002
【特許請求の範囲】
【請求項１】
履物底を備える履物であって、
前記履物底が、
外殻と、
前記外殻内部に収容され、弾性力により荷重を支え、かつ、前記外殻よりも柔らかい、柔軟部材とを有しており、
前記外殻が、
基部と、
前記基部から張出す曲面部とを有していることを特徴とする履物。
【請求項２】
前記柔軟部材が、前記外殻内部で立ち、前記弾性力により前記荷重を支え、かつ、前記荷重を支える際には曲がる、支持部を有することを特徴とする、請求項１に記載の履物。
【請求項３】
前記支持部が、前記外殻内部で立ち、前記弾性力により前記荷重を支える際には曲がり、かつ、格子状に配置される、支持壁を有していることを特徴とする、請求項２に記載の履物。
【請求項４】
履物底であって、
外殻と、
前記外殻内部に収容され、弾性力により荷重を支え、かつ、前記外殻よりも柔らかい、柔軟部材とを有しており、
前記外殻が、
基部と、
前記基部から張出す曲面部とを有していることを特徴とする履物底。
【発明の詳細な説明】
【技術分野】
【０００１】
本発明は、履物および履物底に関し、特に、着用者の足を揺り動かす機能と耐久性とを両立できる、履物および履物底に関する。
【背景技術】
【０００２】
「ロッカーボトムシューズ」その他様々な名称を有する履物が存在する。その履物を履くと、履物を履いた者（着用者）の足が揺り動かされる。足が揺り動かされるので、通常あまり動かされない筋肉が働かされる。その結果、通常あまり働かされない筋肉が鍛えられる。このことは、着用者の姿勢を良くする。
【０００３】
特許文献１は、姿勢を良くするために利用できる履物を開示する。この履物は、本来、地面からの衝撃を緩和させる履物である。この履物は、履物底本体と、衝撃緩和部とを備える。履物底本体は、地面に触れるシューズ底面の上部に厚い弾性部材を設けたものである。衝撃緩和部は履物底本体の上部に設けられる。衝撃緩和部は足裏全体を覆う。衝撃緩和部は、中敷部と、枠部と、弾性部を有する。中敷部は、履物底本体との間に空間を介するように設けられる。枠部は中敷部を内部に収容する。枠部は、履物底本体の外周内面上部に設けられる。弾性部は、枠部の上部と中敷部とを連結させることにより中敷部を支持する。弾性部は弾性体からなる。
【０００４】
特許文献１に開示された履物は、地面からの衝撃を足裏全体で緩和させることができる。枠部の上部と中敷部とが弾性部によって連結されており、かつ、これらと履物底本体との間に空間が設けられているためである。地面からの衝撃を足裏全体で緩和させることができるので、特許文献１に開示された履物は、弾力性に富む十分な履き心地を得ることができる。さらに、特許文献１に開示された履物は、着用者の足をわずかに揺り動かすことができる。その足をわずかに揺り動かすことができるので、特許文献１に開示された履物は、着用者の足の筋肉を鍛える。足の筋肉が鍛えられるので、着用者の姿勢は良くなる。
【０００５】
特許文献２は、履物底にエアバッグが設けられた履物を開示する。履物底に設けられるエアバッグは、ブロー成形によってエアチェンバーを成形して、エアチェンバーの開口を封止することにより形成される。履物底に複数のエアバッグを設けることにより、ジョギング時の足に対する衝撃および傷害を緩和できる。履物底に複数のエアバッグが設けられているので、特許文献２に開示された履物は、着用者の足を揺り動かすことができる。その足を揺り動かすことができるので、特許文献２に開示された履物は、着用者の足の筋肉を鍛える。足の筋肉が鍛えられるので、着用者の姿勢は良くなる。
【先行技術文献】
【特許文献】
【０００６】
【特許文献１】実用新案登録第３１６０３８１号公報
【特許文献２】実用新案登録第３１５７９０８号公報
【発明の概要】
【発明が解決しようとする課題】
【０００７】
しかしながら、特許文献１に開示された履物および特許文献２に開示された履物には、着用者の足を揺り動かす機能と耐久性とを両立し難いという問題があった。以下、この問題を詳細に説明する。
【０００８】
特許文献１に開示された履物は、枠部の上部と中敷部とが弾性部によって連結されている。つまり、特許文献１に開示された履物は、主として履物底から着用者の足へ向かう方向の衝撃を緩和する構造になっている。その方向に直交する方向の衝撃を緩和することに関するその履物の能力は高くない。しかしながら、着用者の筋肉を鍛えるためには、履物底から着用者の足へ向かう方向に対して直交する方向へ着用者の足を揺り動かすことが好ましい。
【０００９】
特許文献２に開示されているように履物底にエアバッグを設けると、履物底から着用者の足へ向かう方向に対して直交する方向へ着用者の足をある程度揺り動かすことができる。しかしながら、エアバックは特許文献１に開示された衝撃緩和部に比べて耐久性に劣る。エアバックは一度孔があくと機能を果たさなくなるためである。
【００１０】
本発明は、このような問題点を解消するためになされたものであり、その目的とするところは、着用者の足を揺り動かす機能と耐久性とを両立できる、履物および履物底を提供することにある。
【課題を解決するための手段】
【００１１】
図面を参照して本発明の履物および履物底を説明する。なお、この欄で図中の符号を使用したのは、発明の内容の理解を助けるためであって、内容を図示した範囲に限定する意図ではない。
【００１２】
上記目的を達成するために本発明のある局面に従うと、履物１０は、履物底２０を備える。履物底２０が、外殻３０と、柔軟部材３２とを有する。柔軟部材３２は、外殻３０内部に収容される。柔軟部材３２は、弾性力により荷重を支える。柔軟部材３２は、外殻３０よりも柔らかい。外殻３０が、基部４０と、曲面部４２とを有する。曲面部４２は基部４０から張出す。
【００１３】
本発明にかかる履物１０を着用者が履いた場合、履物底が平板状の履物を履いた場合に比べ、着用者は安定して立ち難くなる。本発明にかかる履物１０を履いた場合、柔軟部材３２が受けた荷重を曲面部４２が支えることになるためである。柔軟部材３２は、外殻３０よりも柔らかい。つまり柔軟部材３２は外殻３０より変形しやすい。このことが、安定して立つことをさらに難しくしている。しかも、荷重はまず柔軟部材３２の弾性力により支えられるので、履物底にエアバッグを設けた場合に比べ、耐久性は高い。その結果、着用者の足を揺り動かす機能と耐久性とを両立できる、履物１０を提供できる。
【００１４】
また、上述した柔軟部材３２が、支持部６２を有することが望ましい。支持部６２は、外殻３０内部で立つ。支持部６２は、弾性力により荷重を支える。支持部６２は、荷重を支える際には曲がる。
【００１５】
曲がっている状態の支持部６２は、曲がらず荷重を支える柔軟部材３２に比べ、着用者の足を揺り動き易くする。荷重を受けて曲がる支持部６２は、曲がらず荷重を支える柔軟部材３２に比べ、着用者の足が揺り動き易い方向へ容易に動くためである。
【００１６】
もしくは、上述した支持部６２が、支持壁７０，７０を有していることが望ましい。支持壁７０，７０は、外殻３０内部で立つ。支持壁７０，７０は、弾性力により荷重を支える際には曲がる。支持壁７０，７０は、格子状に配置される。
【００１７】
支持壁７０，７０が格子状に配置されると、これらが曲がる際、互いに反力を与えることとなる。互いに反力を与えると、反力が与えられない場合に比べ、支持壁７０，７０が外殻３０の内部で倒れず曲がったままでいる可能性が高くなる。その可能性を高くすることで、着用者の足を揺り動かす機能をよく維持できる。
【００１８】
本発明の他の曲面にしたがうと、履物底２０は、外殻３０と、柔軟部材３２とを有する。柔軟部材３２は、外殻３０内部に収容される。柔軟部材３２は、弾性力により荷重を支える。柔軟部材３２は、外殻３０よりも柔らかい。外殻３０が、基部４０と、曲面部４２とを有する。曲面部４２は基部４０から張出す。これにより、着用者の足を揺り動かす機能と耐久性とを両立できる、履物底２０を提供できる。
【発明の効果】
【００１９】
本発明によれば、着用者の足を揺り動かす機能と耐久性とを両立できる。
【図面の簡単な説明】
【００２０】
【図１】本発明の実施形態にかかるサンダルの斜視図である。
【図２】本発明の実施形態にかかるサンダルの断面図である。
【図３】本発明の実施形態にかかる履物底の構成を示す図である。
【図４】本発明の実施形態にかかる柔軟部材の平面図である。
【図５】本発明の実施形態にかかる柔軟部材のＡ−Ａ断面図である。
【図６】本発明の実施形態にかかるサンダルを着用者が履いている際のそのサンダルの断面図である。
【発明を実施するための形態】
【００２１】
以下、図面を参照しつつ、本発明の実施形態について説明する。以下の説明では、同一の部品には同一の符号を付してある。それらの名称および機能も同一である。したがって、それらについての詳細な説明は繰返さない。
【００２２】
［サンダルの構成］
図１は、本実施形態にかかるサンダル１０の斜視図である。図２は、サンダル１０の断面図である。図１と図２とを参照しつつ、サンダル１０の構成を説明する。
【００２３】
サンダル１０は、履物底２０と、甲被２２と、接足材２４とを備える。履物底２０は、着用者がそのサンダル１０を履いたとき、地面に接触する。甲被２２は、着用者がそのサンダル１０を履いたとき、着用者の足の一部を覆う。接足材２４は、着用者がそのサンダル１０を履いたとき、着用者の足の裏に接触する。
【００２４】
［履物底の構成］
図３は、本実施形態にかかる履物底２０の構成を示す図である。図１ないし図３を参照しつつ、本実施形態にかかる履物底２０の構成を説明する。履物底２０は、外殻３０と、柔軟部材３２とを有する。
【００２５】
外殻３０は履物底２０の外殻となる。本実施形態において外殻３０は柔らかい樹脂によって形成されている。このため、外殻３０は、着用者がサンダル１０を履くことにより荷重を受けた場合には弾性変形する。外殻３０は、基部４０と、曲面部４２とを有する。本実施形態の場合、曲面部４２が直接地面に接触することとなる。基部４０は、接足材２４の縁が取付けられる部分である。基部４０に接足材２４の縁が取付けられることによって、履物底２０に接足材２４が取付けられることとなる。曲面部４２は、基部４０から張出す。本実施形態の場合、曲面部４２の形状は、接足材２４から履物底２０の方へ丸く盛り上がったような形状である。外殻３０の開口５０は、履物底２０に接足材２４が取付けられることにより、塞がれる。
【００２６】
柔軟部材３２は、外殻３０の内部に、より具体的に説明すると上述した曲面部４２の内側に、収容される。本実施形態の場合、柔軟部材３２は、履物底２０に接足材２４が取付けられることにより、外殻３０の内部に密封されることとなる。
【００２７】
［柔軟部材の構成］
図４は、柔軟部材３２の平面図である。図５は、図４に示した柔軟部材３２のＡ−Ａ断面図である。本実施形態の場合、柔軟部材３２は、外殻３０よりも柔らかい。したがって、柔軟部材３２は、荷重を受けると、外殻３０よりも容易に弾性変形する。本実施形態の場合、支持部６２は、エストラマーによって形成されている。図３ないし図５を参照しつつ、柔軟部材３２の構成を説明する。
【００２８】
図３と図４とから明らかなように、本実施形態にかかる柔軟部材３２は、表皮部６０と、支持部６２とを有する。表皮部６０は、外殻３０に密着する。図５から明らかなように、支持部６２は、表皮部６０の内側から開口５０に向かって立っている。そのため、支持部６２は、外殻３０内部で立っていることとなる。本実施形態の場合、表皮部６０と支持部６２とは一体となっている。
【００２９】
図４から明らかなように、支持部６２は、支持壁７０，７０が格子状に交わって配置されているものである。本実施形態の場合、支持壁７０，７０は、履物底２０の踵７２から爪先７４へ向かう方向に対して斜めに交差するよう配置されている。互いに対向する支持壁７０，７０の間には空間９０が形成されている。
【００３０】
なお、支持壁７０，７０の交点８０の間隔は、踵７２から爪先７４に向かう方向に沿っているもの同士の間隔の方が、その方向に直交する方向に沿っているもの同士の間隔より狭い。つまり、支持壁７０，７０は、直交している訳ではない。
【００３１】
［甲被および接足材の構成］
本実施形態にかかる甲被２２と接足材２４との構成は周知である。それらの機能も周知である。したがって、ここではその詳細な説明は繰返さない。
【００３２】
［履物底の機能］
図６は、着用者がサンダル１０を履いたときの履物底２０の変形状況を示す断面図である。図６を参照しつつ、本実施形態にかかる履物底２０の機能を説明する。
【００３３】
着用者がサンダル１０を履いて歩いたとき、着用者の足１００を介して接足材２４に荷重がかかる。その荷重は履物底２０に伝わる。荷重は、履物底２０の柔軟部材３２に伝わる。
【００３４】
上述したように、柔軟部材３２は表皮部６０と支持部６２とを有する。支持部６２は支持壁７０，７０が格子状に交わって配置されているものである。互いに対向する支持壁７０，７０の間には空間９０が形成されている。空間９０が存在するので、支持壁７０の先端は曲がることができる。そのため、空間９０が存在しない場合に比べると、支持部６２は変形しやすい。しかも、本実施形態の場合、支持部６２は、エストラマーによって形成されている。エストラマーによって形成されているので、支持部６２は柔らかい。その点からも、支持部６２は変形しやすい。
【００３５】
荷重は、柔軟部材３２と接足材２４とを介して外殻３０にも伝わる。荷重を受けたことにより、外殻３０は弾性変形する。外殻３０が弾性変形し、かつ、柔軟部材３２の支持部６２が容易に変形するので、履物底２０は、着用者が足１００を介して接足材２４に荷重をかけるたびに、よく変形することとなる。よく変形するので、履物底２０は、従来の履物に比べて不安定な状態で着用者を支えることとなる。
【００３６】
また、外殻３０は曲面部４２を有する。本実施形態の場合、曲面部４２が地面および床面に直接接触する。これにより、履物底２０は、従来の履物に比べて不安定な状態で着用者を支えることとなる。
【００３７】
つまり、本実施形態にかかる履物底２０は、よく変形することと曲面部４２が地面および床面に直接接触することとにより、不安定な状態で着用者を支えることとなる。
【００３８】
［本実施形態にかかるサンダルの効果］
以上のようにして、本実施形態にかかる履物底２０は、不安定な状態で着用者を支えることとなる。履物底２０が不安定な状態で着用者を支えるので、その着用者は、安定して立つことが難しくなる。これにより、着用者は、従来から用いられている靴を履く場合に比べ、普段使わない筋肉を多く使うこととなる。これにより、その着用者の筋肉が鍛えられる。
【００３９】
しかも、本実施形態にかかる履物底２０において荷重はまず柔軟部材３２の弾性力により支えられる。荷重が柔軟部材３２の弾性力により支えられるので、エアバッグを用いて気体の圧力により荷重を支える場合に比べ、柔軟部材３２の耐久性は高い。その結果、着用者の足を揺り動かす機能と耐久性とを両立できる、サンダル１０を提供できる。
【００４０】
しかも、支持壁７０，７０は荷重を受けて容易に曲がる。容易に曲がるので、曲がらない場合に比べ、支持壁７０，７０は着用者の足が揺り動き易い方向へも容易に曲がる。容易に曲がるので、着用者の足を揺り動かす機能をよく維持できる。
【００４１】
しかも、支持壁７０，７０は、格子状に配置されているので、これらが曲がる際、これらは、互いに反力を与えることとなる。互いに反力を与えると、反力が与えられない場合に比べ、支持壁７０，７０が外殻３０の内部で倒れず曲がったままでいる可能性が高くなる。その可能性を高くすることで、支持壁７０，７０と表皮部６０との間に摩擦力が生じることを防いでいる。摩擦力の発生を防ぐことにより、着用者の足を揺り動かす機能をよく維持できる。
【００４２】
しかも、本実施形態にかかる履物底２０では、支持壁７０，７０が履物底２０の踵７２から爪先７４へ向かう方向に対して斜めに交差するよう配置されているので、支持壁７０，７０が履物底２０の踵７２から爪先７４へ向かう方向に平行または直交している場合に比べ、支持壁７０，７０が外殻３０の内部で倒れず曲がったままでいる可能性が高くなる。そのため、着用者の足を揺り動かす機能をよりよく維持できる。
【００４３】
［変形例の説明］
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００４４】
例えば、外殻３０は、曲面部４２を有していなくてもよい。すなわち、履物底は、上述した外殻３０に代えて、平らな底を有する筒形の外殻を有していてもよい。
【００４５】
支持壁７０，７０の配置は、上述したものに限定されない。すなわち、支持壁７０，７０は、履物底２０の踵７２から爪先７４へ向かう方向に対して斜めに交差しないものであってもよい。
【００４６】
支持壁７０，７０の交差角は、図４に示したものに限定されない。その交差角は直交していてもよい。
【００４７】
支持部６２は、支持壁７０，７０が格子状に配置されるものに限定されない。
【００４８】
柔軟部材３２は、上述したものに限定されない。例えば、柔軟部材３２は、ごく柔らかい均質な塊であってもよい。
【００４９】
接足材２４は、外殻３０の開口５０を完全に塞いでいる必要はない。接足材２４の材質と構造とは特に限定されない。
【００５０】
履物底２０は、サンダル１０ではなく靴に用いられてもよい。本発明にかかる履物はサンダル１０に限定されない。
【符号の説明】
【００５１】
１０…サンダル、２０…履物底、２２…甲被、２４…接足材、３０…外殻、３２…柔軟部材、４０…基部、４２…曲面部、５０…開口、６０…表皮部、６２…支持部、７０…支持壁、７２…踵、７４…爪先、８０…交点、９０…空間、１００…足
【図１】
2012187238.tif 000003
【図２】
2012187238.tif 000004
【図３】
2012187238.tif 000005
【図４】
2012187238.tif 000006
【図５】
2012187238.tif 000007
【図６】
2012187238.tif 000008